(57)【要約】【課題】商品の販売状況に応じて、掲示すべき商品の選択や掲示量の変更を行うことが可能な商品情報掲示方法を提供する。【解決手段】設定入力受付手段１２は、掲示すべき複数の商品を選択する際の条件設定に関する利用者からの情報入力を受け付け、入力された設定情報を設定情報記憶部２２に登録する。商品選択手段１４は、販売情報記憶部２４に記録された販売情報と設定情報記憶部２２に記憶された設定情報とに基づいて、掲示対象とする複数の商品を選択する。掲示量割当手段１６は、選択された複数の商品の各々に異なる掲示量を割り当てる。画面データ出力手段１８は、掲示量の割当に従って電子的掲示媒体３２に掲示する掲示画面の画面データを構成し、電子的掲示媒体３２に出力する。【選択図】図１
2008209812.tif 000002
【特許請求の範囲】
【請求項１】
商品情報を電子的掲示媒体に表示するための商品情報掲示システムであって、
商品の販売情報を記憶するための販売情報記憶部と、
前記販売情報記憶部に記憶された販売情報に基づいて前記商品の表示係数を算出し、該表示係数に基づいて複数の前記商品を選択するための商品選択手段と、
前記表示係数に基づいて、前記選択された複数の商品の各々に異なる掲示量を割り当てるための掲示量割当手段と、
前記商品の掲示情報を記憶するための掲示情報記憶部と、
前記選択された複数の商品の前記掲示情報記憶部に記憶された掲示情報を、前記掲示量の割当に従って、出力データとして前記電子的掲示媒体に出力するための画面データ出力手段と、
を備えたことを特徴とする商品情報掲示システム。
【請求項２】
請求項１に記載した商品情報掲示システムであって、
前記掲示量割当手段は、前記電子的掲示媒体の表示画面の面積を掲示量として割り当て、
前記画面データ出力手段は、前記割り当てられた掲示量に基づいて、前記選択された複数の商品の前記掲示情報記憶部に記憶された掲示情報を前記表示画面内に配置するように前記出力データを構成することを特徴とする商品情報掲示システム。
【請求項３】
請求項１に記載した商品情報掲示システムであって、
前記掲示量割当手段は、掲示時間を掲示量として割り当て、
前記画面データ出力手段は、前記割り当てられた掲示量に基づいて、前記選択された複数の商品の前記掲示情報記憶部に記憶された掲示情報を順次、前記出力データとして前記電子的掲示媒体に出力することを特徴とする商品情報掲示システム。
【請求項４】
請求項１に記載した商品情報掲示システムであって、さらに、
利用者から設定情報の入力を受け付けるための設定入力受付手段と、
前記入力された設定情報を記憶するための設定情報記憶部と、
を備え、
前記商品選択手段は、前記販売情報記憶部に記憶された販売情報と前記設定情報記憶部に記憶された設定情報とに基づいて前記商品の表示係数を算出することを特徴とする商品情報掲示システム。
【請求項５】
商品の販売情報を記憶した販売情報記憶部と該商品の掲示情報を記憶した掲示情報記憶部とを備えた商品情報掲示システムが実行する商品情報掲示方法であって、
前記販売情報記憶部に記憶された販売情報に基づいて前記商品の表示係数を算出し、該表示係数に基づいて複数の前記商品を選択する商品選択ステップと、
前記表示係数に基づいて、前記選択された複数の商品の各々に異なる掲示量を割り当てる掲示量割当ステップと、
前記選択された複数の商品の前記掲示情報記憶部に記憶された掲示情報を、前記掲示量の割当に従って、出力データとして前記電子的掲示媒体に出力する画面データ出力ステップと、
を備えたことを特徴とする商品情報掲示方法。
【請求項６】
商品の販売情報を記憶した販売情報記憶部と該商品の掲示情報を記憶した掲示情報記憶部とを備えたコンピュータに商品情報掲示方法を実行させる商品情報掲示プログラムであって、前記商品情報掲示方法は、
前記販売情報記憶部に記憶された販売情報に基づいて前記商品の表示係数を算出し、該表示係数に基づいて複数の前記商品を選択する商品選択ステップと、
前記表示係数に基づいて、前記選択された複数の商品の各々に異なる掲示量を割り当てる掲示量割当ステップと、
前記選択された複数の商品の前記掲示情報記憶部に記憶された掲示情報を、前記掲示量の割当に従って、出力データとして前記電子的掲示媒体に出力する画面データ出力ステップと、
を備えたことを特徴とする商品情報掲示プログラム。
【発明の詳細な説明】
【技術分野】
【０００１】
本発明は商品の情報を掲示するシステムに係り、特に、商品の販売状況に応じて掲示内容を変更する方法に関する。
【背景技術】
【０００２】
小売店舗等において、顧客の購買意欲を促進させるために「本日のお勧め商品」等の商品情報を店内に掲示することが行われる。以前は商品情報が記載された紙を掲示したり、黒板に商品情報を記載したりしていたが、近年は電子的掲示媒体を利用した電子的掲示も採用され始めている。（たとえば特許文献１）。
【特許文献１】特開２００２−３７２９３９号公報
【発明の開示】
【発明が解決しようとする課題】
【０００３】
しかしながら、従来の電子的掲示は、紙や黒板による掲示を単に電子的掲示媒体による掲示に置き換えたに過ぎず、掲示すべき商品等は人間が決めていた。このため状況変化に対応した内容変更は難しかった。
【０００４】
本発明の目的は、商品の販売状況に応じて、掲示すべき商品の選択や掲示量の変更を行うことが可能な商品情報掲示方法を提供することである。
【課題を解決するための手段】
【０００５】
本発明にかかる商品情報掲示システムは、商品情報を電子的掲示媒体に表示するための商品情報掲示システムであって、商品の販売情報を記憶するための販売情報記憶部と、販売情報記憶部に記憶された販売情報に基づいて商品の表示係数を算出し、表示係数に基づいて複数の商品を選択するための商品選択手段と、表示係数に基づいて、選択された複数の商品の各々に異なる掲示量を割り当てるための掲示量割当手段と、商品の掲示情報を記憶するための掲示情報記憶部と、選択された複数の商品の掲示情報記憶部に記憶された掲示情報を、掲示量の割当に従って、出力データとして電子的掲示媒体に出力するための画面データ出力手段とを備えたことを特徴とする。
【０００６】
本発明にかかる商品情報掲示システムの掲示量割当手段は、電子的掲示媒体の表示画面の面積を掲示量として割り当て、画面データ出力手段は、割り当てられた掲示量に基づいて、選択された複数の商品の掲示情報記憶部に記憶された掲示情報を表示画面内に配置するように出力データを構成するようにしてもよい。
【０００７】
本発明にかかる商品情報掲示システムの掲示量割当手段は、掲示時間を掲示量として割り当て、画面データ出力手段は、割り当てられた掲示量に基づいて、選択された複数の商品の掲示情報記憶部に記憶された掲示情報を順次、出力データとして電子的掲示媒体に出力するようにしてもよい。
【０００８】
本発明にかかる商品情報掲示システムは、さらに、利用者から設定情報の入力を受け付けるための設定入力受付手段と、入力された設定情報を記憶するための設定情報記憶部とを備え、商品選択手段は、販売情報記憶部に記憶された販売情報と設定情報記憶部に記憶された設定情報とに基づいて商品の表示係数を算出するようにしてもよい。
【発明の効果】
【０００９】
本発明によれば、あらかじめ定められた方針に従って、商品ごとの販売状況に応じて、掲示される複数の商品の各々に異なる掲示面積や掲示時間を割り当てることができるため、状況変化に対応した掲示内容の変更が可能な商品情報掲示方法を提供することができる。
【発明を実施するための最良の形態】
【００１０】
以下、図面に基づいて実施例を説明する。
【００１１】
図１は、本発明の実施例にかかる商品情報掲示システムのシステム構成を示す図である。本実施例にかかる商品情報掲示システム１は、利用者からの条件設定入力を受け付けるための設定入力受付手段１２と、掲示すべき商品を選択するための商品選択手段１４と、選択された商品の掲示量を割り当てるための掲示量割当手段１６と、電子的掲示媒体３２に掲示する掲示画面の画面データを出力するための画面データ出力手段１８と、商品情報掲示システム全体を制御する制御手段２０と、利用者が設定した設定情報を記憶しておくための設定情報記憶部２２と、商品の販売情報を記憶しておくための販売情報記憶部２４と、電子的掲示媒体３２に掲示する商品ごとの掲示情報を記憶するための掲示情報記憶部２６とを含む。
【００１２】
設定入力受付手段１２は、掲示すべき商品を選択する際の条件設定に関する利用者からの情報入力を受け付ける。条件はどのような形で設定してもよい。本実施例では、各商品に対する重み付けの形で設定する。単純な処理の例としては、条件設定なしで実施してもよい。
【００１３】
商品選択手段１４は、販売情報に基づいて電子的掲示媒体３２に掲示すべき商品を選択する。
【００１４】
掲示量割当手段１６は、選択された商品の掲示量を割り当てる。掲示量の割当には空間的割当と時間的割当がある。空間的割当は、電子的掲示媒体３２の掲示画面の面積を分割して複数の商品に割り当てるものであり、時間的割当は、掲示情報を電子的掲示媒体３２に順次掲示するにあたって、掲示する時間長を商品ごとに割り当てるものである。
【００１５】
画面データ出力手段１８は、掲示量の割当に従って電子的掲示媒体３２に掲示する掲示画面の画面データを出力する。空間的割当の場合には、商品ごとに割り当てられた面積に応じた掲示情報を画面上に配置して電子的掲示媒体３２に出力する。時間的割当の場合には、商品ごとに割り当てられた時間に従ってスケジューリングを行い、このスケジュールに従って、画面データを書き換えて電子的掲示媒体３２に出力する。
【００１６】
制御手段２０は、商品情報掲示システム１全体を制御する。商品情報掲示システム１内の処理のうち、上記各手段で実行される処理以外はすべて制御手段２０が処理するものとする。
【００１７】
設定情報記憶部２２には、利用者が設定した設定情報が記憶される。
【００１８】
販売情報記憶部２４には、商品の金額や在庫情報、販売実績等が記憶される。在庫情報や販売実績等の情報は別途、ＰＯＳシステム等によって更新されるものとし、これらの情報の更新については、ここでは説明しない。
【００１９】
掲示情報記憶部２６には、電子的掲示媒体３２に掲示される商品ごとの掲示情報が記憶される。割り当てられた掲示面積に応じて異なる複数種類の掲示情報が商品ごとに用意されているものとする。掲示面積が多いほど多くの情報を掲示するように用意してもよいし、単に大きく掲示するように用意してもよい。掲示面積に応じて異なる複数種類の掲示情報を用意する代わりに、一種類の掲示情報を用意し、掲示面積に応じて拡大・縮小して掲示することにしてもよい。
【００２０】
商品情報掲示システム１の処理について説明する。
【００２１】
図２は、本発明の実施例にかかる商品情報掲示システム１のフローチャートである。本実施例にかかる商品情報掲示システム１の処理の流れを図２のステップＳ１０２からステップＳ１０８の順を追って説明する。
【００２２】
（ステップＳ１０２）設定入力受付手段１２は、掲示すべき複数の商品を選択する際の条件設定に関する利用者からの情報入力を受け付け、入力された設定情報を設定情報記憶部２２に登録する。
【００２３】
（ステップＳ１０４）商品選択手段１４は、販売情報記憶部２４に記録された販売情報と設定情報記憶部２２に記憶された設定情報とに基づいて、掲示対象とする複数の商品を選択する。商品選択処理はあらかじめ定められた所定時間ごとに行われる。商品選択処理は販売情報が更新されるごとに行われるようにしてもよい。商品選択処理は特定の条件が満たされたとき（たとえば、特定商品の在庫があらかじめ定められた所定量以下になったとき等）に行われるようにしてもよい。商品の選択にあたって、商品ごとの販売情報が数値化され、設定情報記憶部２２に記憶された設定情報に基づいて重み付けされることによって、表示係数に変換される。商品選択手段１４は、表示係数に基づいて商品の順位付けを行い、上位の商品からあらかじめ定められた所定数の商品を選択する。所定数とせず、あらかじめ定められた条件を満たす商品を選択することにしてもよい。
【００２４】
（ステップＳ１０６）掲示量割当手段１６は、選択された複数の商品の各々に異なる掲示量を割り当てる。掲示量の割当は、表示係数に比例させて画面面積あるいは掲示時間を割り当ててもよいし、あらかじめ定められた複数種類の画面面積あるいは掲示時間を表示係数順に割り当ててもよい。
【００２５】
（ステップＳ１０８）画面データ出力手段１８は、掲示量の割当に従って電子的掲示媒体３２に掲示する掲示画面の画面データを構成し、電子的掲示媒体３２に出力する。空間的割当の場合は、あらかじめ定められた画面配分に従って、割り当てられた商品の掲示情報を配置して画面データを構成し、電子的掲示媒体３２に出力する。時間的割当の場合は、掲示時間の割当に従って掲示スケジュールを立て、割り当てられた商品の掲示情報を掲示スケジュールに従って順次掲示すべく画面データを書き換えて電子的掲示媒体３２に出力する。
【００２６】
以上のような構成をとることにより、あらかじめ定められた方針に従って、商品ごとの販売状況に応じて掲示面積や掲示時間を割り当てることができるようになる。
【００２７】
以下、具体例で説明する。
【００２８】
図３は、掲示量の空間的割当の例を示す図である。図３において、太枠が掲示画面を表し、その中の分割された各領域が一つ一つの商品に割り当てられる掲示領域を表す。図３に示された例においては、表示係数の大きい上位６個の商品の情報が面積の広い掲示領域から順に割り当てられるものとする。
【００２９】
図４は、在庫金額に基づいた商品選択の例を示す図である。図４に示された例においては、掲示すべき商品が各商品の在庫金額（単価×在庫数量）に基づいて選択されるものとする。商品コード２０２から在庫金額２１０までは販売情報記憶部２４に記憶された販売情報から得られる情報である。重み２１２は設定情報記憶部２２に記憶された設定情報から得られる情報である。表示係数２１４は、在庫金額２１０に重み２１２を乗じて算出された値である。順位２１６は、表示係数２１４の大きいものから順に上位６位までの順位を示したものである。順位２１６の値が１から６までに該当する商品の情報が、順位２１６の値に従って、図３の面積の大きい掲示領域から順に配置され、画面データが構成される。重み２１２の設定を行わず、在庫金額２１０そのもの、あるいは、在庫数量２０８そのものを表示係数２１４と見立てて掲示量の割当を行ってもよい。このようにして商品情報を掲示することにより、金額換算で在庫を多く抱えている商品の販売促進を図ることができる。重み２１２の設定を行うことにより、特定商品の情報が優先的に掲示されるように調整することが可能となる。このようにして特定メーカや特定分野の商品の情報を優先的に掲示することにより、販売店の意向に基づいた販売促進を図ることができる。在庫金額２１０の代わりに在庫数量２０８に基づいて表示係数２１４を算出してもよい。または、既に販売済みの商品ごとの販売数量あるいは販売金額に基づいて表示係数２１４を算出してもよい。このようにして商品情報を掲示することにより、人気商品のさらなる販売促進を図ることができる。その場合、在庫数量が０の商品を選択しないようにしてもよい。掲示すべき商品を、販売数量あるいは販売金額の少ないものから選択するようにしてもよい。このようにして商品情報を掲示することにより、売れ行き不振の商品の販売促進を図ることができる。
【００３０】
在庫あるいは販売した個数、金額を段階的に分類して、表示係数を求めるようにしてもよい。図５は、段階的分類に基づいた表示係数算出の例を示す図である。Ｐ１のパターンは、在庫が多い商品を売り込むためのパターンである。在庫数量２２４が多いほど表示係数２２６が大きくなるように定義されている。Ｐ２のパターンは、在庫が僅少の商品を売り切るためのパターンである。在庫数量２２４が少ない場合に表示係数２２６が極端に大きくなるように定義されている。このパターン定義情報は、利用者によって設定され、設定情報記憶部２２に記憶される。図６は、段階的分類に基づいた商品選択の例を示す図である。図６に示された例においては、掲示すべき商品が在庫数量に基づいて選択されるものとする。商品コード２３２から在庫数量２３６までは販売情報記憶部２４に記憶された販売情報から得られる情報である。パターン２３８は設定情報記憶部２２に記憶された設定情報から得られる情報である。表示係数２４０は、図５のパターン定義情報に基づいて、在庫数量２３６およびパターン２３８から算出された値である。順位２４２は、表示係数２４０の大きいものから順に上位６位までの順位を示したものである。このようにして商品情報を掲示することにより、販売情報に基づき、より柔軟な販売促進策を推進することができる。
【００３１】
図７は、掲示量の時間的割当の例を示す図である。図７においてTはあらかじめ定められた単位時間を表す。たとえばＴ＝１５秒とする。すなわち、１コマ１５秒の商品情報掲示とする。図７に示された例においては、１２コマの周期で６商品の情報掲示を繰り返す。枠番号１〜枠番号６の６種類の時間枠を用意し、枠番号１および枠番号２には３コマ、枠番号３および枠番号４には２コマ、枠番号５および枠番号６には１コマの時間枠が与えられる。表示係数の大きい商品６個を順に枠番号１から枠番号６に割り当て、割り当てられた時間枠においてその商品の情報を掲示する。図７には時間枠の配列の例として配列２５２および配列２５４が示されている。配列２５２では、各商品の情報が１コマ単位で切り替えられて掲示される。枠番号１および枠番号２に割り当てられた商品の情報は短い周期（４コマ周期）で頻繁に掲示され、枠番号５および６に割り当てられた商品の情報は長い周期（１２コマ周期）で掲示される。配列２５４では、掲示情報の掲示周期は等しい（１２コマ周期）が、各商品に割り当てられた時間枠のコマ数に相当する時間の間、各商品の情報が連続的に掲示される。
【００３２】
図８は、空間的割当と時間的割当を組み合わせた例を示す図である。図８の例では、画面を４つに分割し、各々の掲示領域に異なる意味付け（「残りわずか！」「人気商品」「お買い得商品」「本日のお勧め」）を行っている。掲示領域ごとに、その意味付けに応じた商品選択方針および設定情報に基づいた商品選択を行い、選択された商品に対して各掲示領域に対する時間的割当を行う。図８においては４つの掲示領域は同じ面積としてあるが、面積を変え、販売状況に応じて、提示領域の意味付けを入れ替えてもよい。
【００３３】
なお、空間的割当においては、面積で優劣を付けるほか、たとえば画面上位を優先するとか、画面中央を優先するというように、画面内の表示位置で優劣を付けるようにしてもよい。
【００３４】
また、同じ商品で色違いのものがあり、掲示情報として商品画像を掲示している場合、掲示されている色の商品の在庫が０になったときに、同じ商品で在庫のある他の色の商品の商品画像に差し替えるようにしてもよい。
【００３５】
上述のように、本発明によれば、あらかじめ定められた方針に従って、商品ごとの販売状況に応じて掲示面積や掲示時間を割り当てることができるため、状況変化に対応した掲示内容の変更が可能な商品情報掲示方法を提供することができる。
【００３６】
なお、上述した実施例にかかる商品情報掲示システムの機能は、ハードウェアとして実現可能であるだけでなく、コンピュータのソフトウェアとしても実現可能である。例えば、図１に示した設定入力受付手段１２、商品選択手段１４、掲示量割当手段１６、画面データ出力手段１８、制御手段２０の機能をコンピュータに実行させるプログラムを作成し、当該プログラムをコンピュータのメモリに読み込ませて実行させれば、商品情報掲示システムの機能を実現することができる。
【００３７】
本発明の実施例にかかる商品情報掲示システムを実現するプログラムは、図９に示すように、ＣＤ−ＲＯＭやＣＤ−ＲＷ、ＤＶＤ−Ｒ、ＤＶＤ−ＲＡＭ、ＤＶＤ−ＲＷ等やフレキシブルディスク等の可搬型記録媒体５４だけでなく、通信回線５６の先に備えられた他の記憶装置５８や、コンピュータシステム５２のハードディスクやＲＡＭ等の記憶装置、記録媒体６０のいずれに記憶されるものであってもよく、プログラム実行時には、プログラムはローディングされ、主メモリ上で実行される。
【００３８】
（付記１）商品情報を電子的掲示媒体に表示するための商品情報掲示システムであって、
商品の販売情報を記憶するための販売情報記憶部と、
前記販売情報記憶部に記憶された販売情報に基づいて前記商品の表示係数を算出し、該表示係数に基づいて複数の前記商品を選択するための商品選択手段と、
前記表示係数に基づいて、前記選択された複数の商品の各々に異なる掲示量を割り当てるための掲示量割当手段と、
前記商品の掲示情報を記憶するための掲示情報記憶部と、
前記選択された複数の商品の前記掲示情報記憶部に記憶された掲示情報を、前記掲示量の割当に従って、出力データとして前記電子的掲示媒体に出力するための画面データ出力手段と、
を備えたことを特徴とする商品情報掲示システム。
（付記２）付記１に記載した商品情報掲示システムであって、
前記掲示量割当手段は、前記電子的掲示媒体の表示画面の面積を掲示量として割り当て、
前記画面データ出力手段は、前記割り当てられた掲示量に基づいて、前記選択された複数の商品の前記掲示情報記憶部に記憶された掲示情報を前記表示画面内に配置するように前記出力データを構成することを特徴とする商品情報掲示システム。
（付記３）付記１に記載した商品情報掲示システムであって、
前記掲示量割当手段は、掲示時間を掲示量として割り当て、
前記画面データ出力手段は、前記割り当てられた掲示量に基づいて、前記選択された複数の商品の前記掲示情報記憶部に記憶された掲示情報を順次、前記出力データとして前記電子的掲示媒体に出力することを特徴とする商品情報掲示システム。
（付記４）付記１に記載した商品情報掲示システムであって、さらに、
利用者から設定情報の入力を受け付けるための設定入力受付手段と、
前記入力された設定情報を記憶するための設定情報記憶部と、
を備え、
前記商品選択手段は、前記販売情報記憶部に記憶された販売情報と前記設定情報記憶部に記憶された設定情報とに基づいて前記商品の表示係数を算出することを特徴とする商品情報掲示システム。
（付記５）商品の販売情報を記憶した販売情報記憶部と該商品の掲示情報を記憶した掲示情報記憶部とを備えた商品情報掲示システムが実行する商品情報掲示方法であって、
前記販売情報記憶部に記憶された販売情報に基づいて前記商品の表示係数を算出し、該表示係数に基づいて複数の前記商品を選択する商品選択ステップと、
前記表示係数に基づいて、前記選択された複数の商品の各々に異なる掲示量を割り当てる掲示量割当ステップと、
前記選択された複数の商品の前記掲示情報記憶部に記憶された掲示情報を、前記掲示量の割当に従って、出力データとして前記電子的掲示媒体に出力する画面データ出力ステップと、
を備えたことを特徴とする商品情報掲示方法。
（付記６）付記５に記載した商品情報掲示方法であって、
前記掲示量割当ステップでは、前記電子的掲示媒体の表示画面の面積が掲示量として割り当てられ、
前記画面データ出力ステップでは、前記割り当てられた掲示量に基づいて、前記選択された複数の商品の前記掲示情報記憶部に記憶された掲示情報が前記表示画面内に配置されるように前記出力データが構成されることを特徴とする商品情報掲示方法。
（付記７）付記５に記載した商品情報掲示方法であって、
前記掲示量割当ステップでは、掲示時間が掲示量として割り当てられ、
前記画面データ出力ステップでは、前記割り当てられた掲示量に基づいて、前記選択された複数の商品の前記掲示情報記憶部に記憶された掲示情報が順次、前記出力データとして前記電子的掲示媒体に出力されることを特徴とする商品情報掲示方法。
（付記８）付記５に記載した商品情報掲示方法であって、前記商品情報掲示システムはさらに利用者から入力される設定情報を記憶するための設定情報記憶部を備え、前記商品情報掲示方法はさらに、
利用者から設定情報の入力を受け付けて、入力された設定情報を前記設定情報記憶部に登録する設定入力受付ステップ
を備え、
前記商品選択ステップでは、前記販売情報記憶部に記憶された販売情報と前記設定情報記憶部に記憶された設定情報とに基づいて前記商品の表示係数が算出されることを特徴とする商品情報掲示方法。
（付記９）商品の販売情報を記憶した販売情報記憶部と該商品の掲示情報を記憶した掲示情報記憶部とを備えたコンピュータに商品情報掲示方法を実行させる商品情報掲示プログラムであって、前記商品情報掲示方法は、
前記販売情報記憶部に記憶された販売情報に基づいて前記商品の表示係数を算出し、該表示係数に基づいて複数の前記商品を選択する商品選択ステップと、
前記表示係数に基づいて、前記選択された複数の商品の各々に異なる掲示量を割り当てる掲示量割当ステップと、
前記選択された複数の商品の前記掲示情報記憶部に記憶された掲示情報を、前記掲示量の割当に従って、出力データとして前記電子的掲示媒体に出力する画面データ出力ステップと、
を備えたことを特徴とする商品情報掲示プログラム。
（付記１０）付記９に記載した商品情報掲示プログラムであって、
前記掲示量割当ステップでは、前記電子的掲示媒体の表示画面の面積が掲示量として割り当てられ、
前記画面データ出力ステップでは、前記割り当てられた掲示量に基づいて、前記選択された複数の商品の前記掲示情報記憶部に記憶された掲示情報が前記表示画面内に配置されるように前記出力データが構成されることを特徴とする商品情報掲示プログラム。
（付記１１）付記９に記載した商品情報掲示プログラムであって、
前記掲示量割当ステップでは、掲示時間が掲示量として割り当てられ、
前記画面データ出力ステップでは、前記割り当てられた掲示量に基づいて、前記選択された複数の商品の前記掲示情報記憶部に記憶された掲示情報が順次、前記出力データとして前記電子的掲示媒体に出力されることを特徴とする商品情報掲示プログラム。
（付記１２）付記９に記載した商品情報掲示プログラムであって、前記商品情報掲示システムはさらに利用者から入力される設定情報を記憶するための設定情報記憶部を備え、前記商品情報掲示方法はさらに、
利用者から設定情報の入力を受け付けて、入力された設定情報を前記設定情報記憶部に登録する設定入力受付ステップ
を備え、
前記商品選択ステップでは、前記販売情報記憶部に記憶された販売情報と前記設定情報記憶部に記憶された設定情報とに基づいて前記商品の表示係数が算出されることを特徴とする商品情報掲示プログラム。
【図面の簡単な説明】
【００３９】
【図１】本発明の実施例にかかる商品情報掲示システムのシステム構成を示す図
【図２】本発明の実施例にかかる商品情報掲示システムのフローチャート
【図３】掲示量の空間的割当の例を示す図
【図４】在庫金額に基づいた商品選択の例を示す図
【図５】段階的分類に基づいた表示係数算出の例を示す図
【図６】段階的分類に基づいた商品選択の例を示す図
【図７】掲示量の時間的割当の例を示す図
【図８】空間的割当と時間的割当を組み合わせた例を示す図
【図９】コンピュータ環境の例を示す図
【符号の説明】
【００４０】
１：  商品情報掲示システム１
１２：  設定入力受付手段１２
１４：  商品選択手段１４
１６：  掲示量割当手段１６
１８：  画面データ出力手段１８
２２：  設定情報記憶部２２
２４：  販売情報記憶部２４
２６：  掲示情報記憶部２６
３２：  電子的掲示媒体３２
【図１】
2008209812.tif 000003
【図２】
2008209812.tif 000004
【図３】
2008209812.tif 000005
【図４】
2008209812.tif 000006
【図５】
2008209812.tif 000007
【図６】
2008209812.tif 000008
【図７】
2008209812.tif 000009
【図８】
2008209812.tif 000010
【図９】
2008209812.tif 000011